(57)【要約】本発明は、針手動後退式静脈内輸液針に関し、円筒状部（１１）及びテールホルダー部（１２）を備える針ホルダー（１）と、末端が円筒状部（１１）の内部に取り付けられる針管（２）と、断面視で略Ｃ字形状であり、両端まで貫通する長尺状ブロックであり、円筒状部（１１）を内部に前後にスライド可能に取り付ける内蔵スライドスリーブ（３）と、両端まで貫通する長尺状の中空ハウジングであり、内蔵スライドスリーブ（３）を内部に前後にスライド可能に取り付け、針ホルダー（１）との間にロック構造が形成される保護ハウジング（４）と、を備え、針ホルダー（１）と保護ハウジング（４）のロックが解除されると、針ホルダー（１）を後へ引いて、円筒状部（１１）を内蔵スライドスリーブ（３）のロック位置にスライドさせてロックし、針ホルダー（１）を後へ引き続けて、針ホルダー（１）により内蔵スライドスリーブ（３）が保護ハウジング（４）のロック位置にスライドしてロックされるように駆動し、このとき、針管（２）は、保護ハウジング（４）により完全に覆われ、且つ針先が露出しない。この装置は、針突刺しや交差感染を防止し、針管（２）による患者の血管内壁への損傷を減少させ、製品の小型化設計を実現し、簡便に使用でき、生産プロセスがシンプルである。【選択図】図１
2020522362.tif 000002
【特許請求の範囲】
【請求項１】
針手動後退式静脈内輸液針であって、
円筒状部及びテールホルダー部を備え、前記円筒状部及び前記テールホルダー部が前後に
配置されて且つ接続され、前記円筒状部が針管を取り付けるために使用され、前記テール
ホルダー部が輸送ホースに接続されるために使用される針ホルダーと、
針管と、
断面視で略Ｃ字形状であり、両端まで貫通する長尺状ブロックである内蔵スライドスリー
ブと、
両端まで貫通する長尺状の中空ハウジングである保護ハウジングと、を備え、
前記針管の末端は、前記円筒状部の内部に取り付けられ、前記針ホルダーの円筒状部は、
前後にスライド可能に前記内蔵スライドスリーブの内部に取り付けられ、前記針ホルダー
のテールホルダー部は、前記内蔵スライドスリーブの末端の外に位置し、前記内蔵スライ
ドスリーブは、前後にスライド可能に前記保護ハウジングの内部に取り付けられ、前記針
ホルダーは、前記保護ハウジングにロックでき、
前記針ホルダーと前記内蔵スライドスリーブとの間には、前記針ホルダーをロックするた
めの第１ロック構造が設けられ、前記内蔵スライドスリーブと前記保護ハウジングとの間
には、前記内蔵スライドスリーブをロックするための第２ロック構造が設けられ、前記針
ホルダーと前記保護ハウジングとの間には、前記針ホルダーをロックするための第３ロッ
ク構造が設けられ、
前記針ホルダーと前記保護ハウジングのロック構造によるロックが解除されると、前記針
ホルダーを後へ引いて、前記円筒状部を前記内蔵スライドスリーブのロック位置にスライ
ドさせてロックし、前記針ホルダーを後へ引き続けて、前記内蔵スライドスリーブを前記
保護ハウジングのロック位置にスライドさせてロックし、このとき、前記針管は、前記保
護ハウジングにより完全に覆われ、且つ針先が露出しない、
ことを特徴とする針手動後退式静脈内輸液針。
【請求項２】
前記第１ロック構造は、前記円筒状部の外壁に設けられる第１位置決め部と前記内蔵スラ
イドスリーブの内壁に設けられる第１ロック部と、を備え、前記円筒状部が前記内蔵スラ
イドスリーブのロック位置までスライドすると、前記第１位置決め部は、前記第１ロック
部によりロックされて、前記円筒状部が前記内蔵スライドスリーブから抜けないようにす
る、
ことを特徴とする請求項１に記載の針手動後退式静脈内輸液針。
【請求項３】
前記第１位置決め部は、スライダーを備え、前記第１ロック部は、長溝孔と第１弾性アー
ムと、を備え、前記長溝孔が前記内蔵スライドスリーブの軸方向に設けられ、前記第１弾
性アームが前記長溝孔の後方部に設けられ、前記スライダーが前記長溝孔の長さ範囲でス
ライドするように制限され、
前記スライダーが前記長溝ブロックに沿って前記長溝孔の末端までスライドする過程にお
いて、前記第１弾性アームは、前記スライダーにより押されて弾性的に変形して前記スラ
イダーの通過を許容し、前記スライダーが前記長溝孔の末端に到着すると、前記第１弾性
アームの変形が戻り、前記スライダーがロックされて逆方向にスライドできなくなる、
ことを特徴とする請求項２に記載の針手動後退式静脈内輸液針。
【請求項４】
前記第１位置決め部は、それぞれ前記スライダーの両側に設けられる２つのサイドスライ
ダーをさらに備え、前記第１ロック部は、２本の第１スライド溝をさらに備え、前記２本
の第１スライド溝のそれぞれが前記内蔵スライドスリーブの軸方向に前記スライド溝孔の
両側に設けられ、前記２つのサイドスライダーがそれぞれ前記２本の第１スライド溝の長
さ範囲でスライドするように制限され、前記円筒状部が径方向に沿って前記内蔵スライド
スリーブから抜けないようにする、
ことを特徴とする請求項３に記載の針手動後退式静脈内輸液針。
【請求項５】
前記第２ロック構造は、前記内蔵スライドスリーブに設けられる第２位置決め部と前記保
護ハウジングの内壁に設けられる第２ロック部と、を備え、前記内蔵スライドスリーブが
前記保護ハウジングのロック位置までスライドすると、前記第２位置決め部は、前記第２
ロック部によりロックされて、前記内蔵スライドスリーブが前記保護ハウジングから抜け
ないようにする、
ことを特徴とする請求項１に記載の針手動後退式静脈内輸液針。
【請求項６】
前記第２位置決め部は、それぞれ前記内蔵スライドスリーブの２つの軸方向断面に設けら
れる２つのボスを備え、前記第２ロック部は、２本の第２スライド溝と２つの第２弾性ア
ームを備え、前記２本の第２スライド溝が前記保護ハウジングの軸方向に対称的に設けら
れ、前記２つの第２弾性アームがそれぞれ前記２本の第２スライド溝の後方部に設けられ
、前記２つのボスがそれぞれ前記２本の第２スライド溝の長さ範囲でスライドするように
制限され、
前記２つのボスがそれぞれ前記２本の第２スライド溝に沿って前記２本の第２スライド溝
の末端までスライドする過程において、前記２つの第２弾性アームは、それぞれ前記２つ
のボスにより押されて弾性的に変形して前記２つのボスの通過を許容し、前記２つのボス
がそれぞれ前記２本の第２スライド溝の末端に到着すると、前記２つの第２弾性アームの
変形が戻り、前記２つのボスがロックされて逆方向にスライドできなくなる、
ことを特徴とする請求項５に記載の針手動後退式静脈内輸液針。
【請求項７】
前記第３ロック構造は、前記テールホルダー部に設けられる第３ロック部と前記保護ハウ
ジングの外壁に設けられる第３位置決め部と、を備え、
前記第３ロック部が前記第３位置決め部にロックされたとき、前記テールホルダー部は、
前記保護ハウジングにロックされ、前記内蔵スライドスリーブの先端は、前記保護ハウジ
ングの内壁により制限され、前記内蔵スライドスリーブの末端は、前記テールホルダー部
により制限され、
前記第３ロック部と前記第３位置決め部のロックが解除されると、前記針ホルダーを後へ
引くことが可能になる、
ことを特徴とする請求項１に記載の針手動後退式静脈内輸液針。
【請求項８】
前記テールホルダー部は、テールホルダー主体と組み立て部と、を備え、前記テールホル
ダー主体が前記円筒状部に接続され、前記テールホルダー主体の側面が前記組み立て部に
接続され、前記組み立て部が前記円筒状部の中心軸線に平行し、且つ前記保護ハウジング
の外壁に密着して設けられ、前記組み立て部が側面から引かれ、
前記第３ロック部は、前記組み立て部に設けられ、前記第３ロック部は、凹溝を含み、前
記第３位置決め部は、凸起を含み、側面から前記組み立て部を引くと、前記凹溝と前記凸
起のロックが解除される、
ことを特徴とする請求項７前記の針手動後退式静脈内輸液針。
【請求項９】
組み立て部に套設され、側面から引かれると、前記組み立て部が同期に引かれる翼片をさ
らに備える、
ことを特徴とする請求項８に記載の針手動後退式静脈内輸液針。
【請求項１０】
前記第３ロック構造は、前記円筒状部に設けられる第３位置決め部と前記保護ハウジング
の内壁の先端に設けられる第３ロック部と、を備え、
前記第３位置決め部が前記第３ロック部によりロックされたとき、前記円筒状部は、前記
保護ハウジングの内部にロックされ、前記内蔵スライドスリーブの先端は、前記保護ハウ
ジングの内壁により制限され、前記内蔵スライドスリーブの末端は、前記テールホルダー
部により制限され、
前記第３位置決め部と前記第３ロック部のロックが解除されると、前記円筒状部を前記内
蔵スライドスリーブの内部から引き出せる、
ことを特徴とする請求項１に記載の針手動後退式静脈内輸液針。
【請求項１１】
前記第３位置決め部は、前記円筒状部の外壁の先端に対称的に設けられる２つのサイドス
ライダーを備え、前記第３ロック部は、前記保護ハウジングの内壁の先端に対称的に設け
られる２つの弾性変形可能な斜面ボスを備え、
前記２つのサイドスライダーがそれぞれ前記２つの斜面ボスによりロックされたとき、前
記円筒状部は、前記保護ハウジングの内部にロックされるとともに、前記内蔵スライドス
リーブは、前記テールホルダー部により制限され、
前記円筒状部が後へ引かれると、前記２つのサイドスライダーは、それぞれ前記２つの斜
面ボスを押して、前記２つの斜面ボスが弾性的に変形し、前記２つのサイドスライダーが
それぞれ前記２つの斜面ボス上を摺動し、前記針ホルダーが前記保護ハウジングの内部か
ら後へ引ける、
ことを特徴とする請求項１０に記載の針手動後退式静脈内輸液針。
【請求項１２】
前記テールホルダー部に套設され、片翼翼片又は両翼翼片であり、前記両翼翼片の場合、
２つの翼片が対称的に設けられ、且つ折り畳まれると一体に重なる翼片をさらに備え、
手で翼片を把持して後へ引くとき、前記針ホルダーは同期して引かれる、
ことを特徴とする請求項１１に記載の針手動後退式静脈内輸液針。
【請求項１３】
前記第３ロック構造は、前記テールホルダー部に設けられる第３位置決め部と前記保護ハ
ウジングの末端に設けられる第３ロック部と、を備え、
前記第３位置決め部が前記第３ロック部によりロックされたとき、前記テールホルダー部
は、前記保護ハウジングの末端にロックされ、前記内蔵スライドスリーブの先端は、前記
保護ハウジングの内壁により制限され、前記内蔵スライドスリーブの末端は、前記テール
ホルダー部により制限され、
前記第３位置決め部と前記第３ロック部のロックが解除されると、前記テールホルダー部
は後へ引ける、
ことを特徴とする請求項１に記載の針手動後退式静脈内輸液針。
【請求項１４】
前記テールホルダー部は、テールホルダー主体と２つの押圧部と、を備え、前記テールホ
ルダー主体が前記円筒状部に接続され、前記２つの押圧部がそれぞれ前記テールホルダー
主体の両側に接続され、前記２つの押圧部がいずれも前記円筒状部の中心軸線に平行し、
前記２つの押圧部が対向して押圧可能であり、
前記第３位置決め部は、それぞれ前記２つの押圧部の先端に設けられる２つのフックを備
え、前記第３ロック部は、それぞれ前記保護ハウジングの末端の両側に設けられる２つの
係合溝を備え、
手で両側の押圧部を把持して対向して押圧するとき、前記２つのフックのそれぞれと前記
２つの係合溝のロックが解除される、
ことを特徴とする請求項１３に記載の針手動後退式静脈内輸液針。
【請求項１５】
前記保護ハウジングに套設され、片翼翼片又は両翼翼片であり、前記両翼翼片の場合、２
つの翼片が対称的に設けられ、且つ折り畳まれると一体に重なる翼片をさらに備える、
ことを特徴とする請求項１４に記載の針手動後退式静脈内輸液針。
【請求項１６】
前記保護ハウジングは、上保護ハウジングと下保護ハウジングが結合されてなり、前記内
蔵スライドスリーブは、前記上保護ハウジングの内部に取り付けられ、前記内蔵スライド
スリーブの２つの軸方向断面は、前記下保護ハウジングの内壁に密着している、
ことを特徴とする請求項１−１５のいずれか１項に記載の針手動後退式静脈内輸液針。
【請求項１７】
前記針管から前記下保護ハウジングの外壁までの垂直方向の最大距離は、１．５ｍｍ以下
である、
ことを特徴とする請求項１６に記載の針手動後退式静脈内輸液針。
【発明の詳細な説明】
【技術分野】
【０００１】
本発明は、医療機器の技術分野に関し、特に針手動後退式静脈内輸液針に関する。
【背景技術】
【０００２】
現在、国内外の市場で幅広く使用されている安全機能付きの使い捨て輸液針の製品の種類
が不十分である。その主な原因は、輸液針の体積が極めて小さく、輸液針に安全装置を増
設すると輸液針に対する技術的要求及び使用の利便性の目的を達成させにくい。現在、市
場で効果的に使用されている安全機能付き輸液針は、米国のベクトン・ディッキンソン・
アンド・カンパニー社製のホースカバー式輸液針である。その原理は、付属している輸液
針の末端部における外側ホースを利用して、輸液が終了した後、輸液針を抜き出して外側
ホースを針部まで押して針をカバーすることにより保護機能を果たすことである。この製
品は、構造が単純であるとともに、輸液針に対する技術的要求を満たせるが、使用しにく
く、且つ使用過程において患者や使用者に対して安全上のリスクがある。従来の革新的な
発明による安全機能付き輸液針は、輸液針に対する技術的要求及び使用の利便性（たとえ
ば、体積が大きすぎる）を両立できず、市場では大幅に普及させて使用するものが極めて
少ない。
【０００３】
安全機能付き輸液針に対する重要な技術的要求は、主に以下のとおりである。
１）針管と針ホルダーの底部との垂直方向での距離は、１．５ｍｍ以下であり、そうでは
ない場合、針管と針管ベースとの間に大きな傾斜角が発生して針先による血管の突き刺し
を引き起こしやすい。
２）輸液針は、長期的に患者の手の甲に固定されるため、体積が大きすぎると、使用しに
くいとともに、患者へ不快さなどを与える。
【０００４】
市場において幅広く使用されている従来の輸液針は、針管を抜き出す際に、操作者がハン
ドルを起立させて把持して針管を抜き出すが、この操作をするときに針管が血管の内部で
回動し、針先が血管を損傷するリスクがある（よく輸液をする患者が静脈炎に罹患しやす
い原因の１つ）。使用済みの汚染針管が外部へ露出しているため、針刺しや二次被害を引
き起こして、さらに交差感染のリスクをもたらす。
【０００５】
上記ベクトン・ディッキンソン・アンド・カンパニー社製のホース式安全機能付き輸液針
は、使用しにくいだけでなく、二次被害、及び針管を抜き出すときに患者の血管へ損傷を
与えるリスクがある。
【０００６】
ほかの安全機能付き輸液針のさまざまな革新的な設計に関しては、一般に、以下の問題又
は技術的難問がある。
１）輸液針に対する技術的要求及び安全性の要求を満たすとともに、小型化設計及び優れ
ている使用性を両立できない。或いは、良好な設計を有するものの、工業的な量産が実現
されにくいことも原因の１つである。
【０００７】
上記問題を解決するために、本発明の目的は、以下のとおりである。
【０００８】
１．安全な輸液：
１）輸液するときに患者に対して与え得る血管損傷のリスクをできるだけ減少させる。
２）医療スタッフが操作するときに針により突き刺さたり交差感染を受けたりするリスク
をできるたけ防止する。
３）医療廃棄物の処置過程における潜在的な二次被害及び環境汚染を防止する。
【０００９】
２．製品の小型化設計：
１）革新的な構造を設計することにより製品の小型化を実現し、輸液に対する技術的要求
及び患者による快適さを満たす。
２）使用者の操作習慣を変える必要がないため、より快適且つ簡便に使用できる。
【００１０】
３．生産プロセスの簡素化：
１）製品は、設計がコンパクトで簡単であり、生産プロセスがシンプルであり、量産が実
現されやすい。
２）製品の品質及び安全性を大幅に向上させるとともに、生産コストを顕著に削減させる
。
【発明の概要】
【００１１】
上記目的を達成させるために、本発明の一態様は、針手動後退式静脈内輸液針を提供し、
円筒状部及びテールホルダー部を備え、円筒状部及びテールホルダー部が前後に配置され
て且つ接続され、円筒状部が針管を取り付けるために使用され、テールホルダー部が輸送
ホースに接続されるために使用される針ホルダーと、
針管と、
断面視で略Ｃ字形状であり、両端まで貫通する長尺状ブロックである内蔵スライドスリー
ブと、
両端まで貫通する長尺状の中空ハウジングである保護ハウジングと、を備え、
針管の末端は、円筒状部の内部に取り付けられ、針ホルダーの円筒状部は、前後にスライ
ド可能に内蔵スライドスリーブの内部に取り付けられ、針ホルダーのテールホルダー部は
、内蔵スライドスリーブの末端の外に位置し、内蔵スライドスリーブは、前後にスライド
可能に保護ハウジングの内部に取り付けられ、針ホルダーは、保護ハウジングにロックで
き、
針ホルダーと内蔵スライドスリーブとの間には、針ホルダーをロックするための第１ロッ
ク構造が設けられ、内蔵スライドスリーブと保護ハウジングとの間には、内蔵スライドス
リーブをロックするための第２ロック構造が設けられ、針ホルダーと保護ハウジングとの
間には、針ホルダーをロックするための第３ロック構造が設けられ、
針ホルダーと保護ハウジングのロック構造によるロックが解除されると、針ホルダーを後
へ引いて、円筒状部を内蔵スライドスリーブのロック位置にスライドさせてロックし、針
ホルダーを後へ引き続けて、内蔵スライドスリーブを保護ハウジングのロック位置にスラ
イドさせてロックし、このとき、針管は、保護ハウジングにより完全に覆われ、且つ針先
が露出しない。
【００１２】
さらに、第１ロック構造は、円筒状部の外壁に設けられる第１位置決め部と内蔵スライド
スリーブの内壁に設けられる第１ロック部と、を備え、円筒状部が内蔵スライドスリーブ
のロック位置までスライドすると、第１位置決め部は、第１ロック部によりロックされて
、円筒状部が内蔵スライドスリーブから抜けないようにする。
【００１３】
好ましくは、第１位置決め部は、スライダーを備え、第１ロック部は、長溝孔と第１弾性
アームと、を備え、長溝孔が内蔵スライドスリーブの軸方向に設けられ、第１弾性アーム
が長溝孔の後方部に設けられ、スライダーが長溝孔の長さ範囲でスライドするように制限
され、
スライダーが長溝ブロックに沿って長溝孔の末端までスライドする過程において、第１弾
性アームは、スライダーにより押されて弾性的に変形してスライダーの通過を許容し、ス
ライダーが長溝孔の末端に到着すると、第１弾性アームの変形が戻り、スライダーがロッ
クされて逆方向にスライドできなくなる。
【００１４】
より好ましくは、第１位置決め部は、それぞれスライダーの両側に設けられる２つのサイ
ドスライダーをさらに備え、第１ロック部は、２本の第１スライド溝をさらに備え、２本
の第１スライド溝のそれぞれが内蔵スライドスリーブの軸方向にスライド溝孔の両側に設
けられ、２つのサイドスライダーがそれぞれ２本の第１スライド溝の長さ範囲でスライド
するように制限され、円筒状部が径方向に沿って内蔵スライドスリーブから抜けないよう
にする。
【００１５】
さらに、第２ロック構造は、内蔵スライドスリーブに設けられる第２位置決め部と保護ハ
ウジングの内壁に設けられる第２ロック部と、を備え、内蔵スライドスリーブが保護ハウ
ジングのロック位置までスライドすると、第２位置決め部は、第２ロック部によりロック
されて、内蔵スライドスリーブが保護ハウジングから抜けないようにする。
【００１６】
好ましくは、第２位置決め部は、それぞれ内蔵スライドスリーブの２つの軸方向断面に設
けられる２つのボスを備え、第２ロック部は、２本の第２スライド溝と２つの第２弾性ア
ームを備え、２本の第２スライド溝が保護ハウジングの軸方向に対称的に設けられ、２つ
の第２弾性アームがそれぞれ２本の第２スライド溝の後方部に設けられ、２つのボスがそ
れぞれ２本の第２スライド溝の長さ範囲でスライドするように制限され、
２つのボスがそれぞれ２本の第２スライド溝に沿って２本の第２スライド溝の末端までス
ライドする過程において、２つの第２弾性アームは、それぞれ２つのボスにより押されて
弾性的に変形して２つのボスの通過を許容し、２つのボスがそれぞれ２本の第２スライド
溝の末端に到着すると、２つの第２弾性アームの変形が戻り、２つのボスがロックされて
逆方向にスライドできなくなる。
【００１７】
さらに、第３ロック構造は、テールホルダー部に設けられる第３ロック部と保護ハウジン
グの外壁に設けられる第３位置決め部と、を備え、
第３ロック部が第３位置決め部にロックされたとき、テールホルダー部は、保護ハウジン
グにロックされ、内蔵スライドスリーブの先端は、保護ハウジングの内壁により制限され
、内蔵スライドスリーブの末端は、テールホルダー部により制限され、
第３ロック部と第３位置決め部のロックが解除されると、針ホルダーを後へ引くことが可
能になる。
【００１８】
好ましくは、テールホルダー部は、テールホルダー主体と組み立て部と、を備え、テール
ホルダー主体が円筒状部に接続され、テールホルダー主体の側面が組み立て部に接続され
、組み立て部が円筒状部の中心軸線に平行し、且つ保護ハウジングの外壁に密着して設け
られ、組み立て部が側面から引かれ、
第３ロック部は、組み立て部に設けられ、第３ロック部は、凹溝を含み、第３位置決め部
は、凸起を含み、側面から組み立て部を引くと、凹溝と凸起のロックが解除される。
【００１９】
より好ましくは、組み立て部に套設され、側面から引かれると、組み立て部が同期に引か
れる翼片をさらに備える。
【００２０】
さらに、第３ロック構造は、円筒状部に設けられる第３位置決め部と保護ハウジングの内
壁の先端に設けられる第３ロック部と、を備え、
第３位置決め部が第３ロック部によりロックされたとき、円筒状部は、保護ハウジングの
内部にロックされ、内蔵スライドスリーブの先端は、保護ハウジングの内壁により制限さ
れ、内蔵スライドスリーブの末端は、テールホルダー部により制限され、
第３位置決め部と第３ロック部のロックが解除されると、円筒状部を内蔵スライドスリー
ブの内部から引き出せる。
【００２１】
好ましくは、第３位置決め部は、円筒状部の外壁の先端に対称的に設けられる２つのサイ
ドスライダーを備え、第３ロック部は、保護ハウジングの内壁の先端に対称的に設けられ
る２つの弾性変形可能な斜面ボスを備え、
２つのサイドスライダーがそれぞれ２つの斜面ボスによりロックされたとき、円筒状部は
、保護ハウジングの内部にロックされるとともに、内蔵スライドスリーブは、テールホル
ダー部により制限され、
円筒状部が後へ引かれると、２つのサイドスライダーは、それぞれ２つの斜面ボスを押し
て、２つの斜面ボスが弾性的に変形し、２つのサイドスライダーがそれぞれ２つの斜面ボ
ス上を摺動し、針ホルダーが保護ハウジングの内部から後へ引ける。
【００２２】
より好ましくは、テールホルダー部に套設され、片翼翼片又は両翼翼片であり、両翼翼片
の場合、２つの翼片が対称的に設けられ、且つ折り畳まれると一体に重なる翼片をさらに
備え、
手で翼片を把持して後へ引くとき、針ホルダーは同期して引かれる。
【００２３】
さらに、第３ロック構造は、テールホルダー部に設けられる第３位置決め部と保護ハウジ
ングの末端に設けられる第３ロック部と、を備え、
第３位置決め部が第３ロック部によりロックされたとき、テールホルダー部は、保護ハウ
ジングの末端にロックされ、内蔵スライドスリーブの先端は、保護ハウジングの内壁によ
り制限され、内蔵スライドスリーブの末端は、テールホルダー部により制限され、
第３位置決め部と第３ロック部のロックが解除されると、テールホルダー部は後へ引ける
。
【００２４】
好ましくは、テールホルダー部は、テールホルダー主体と２つの押圧部と、を備え、テー
ルホルダー主体が円筒状部に接続され、２つの押圧部がそれぞれテールホルダー主体の両
側に接続され、２つの押圧部がいずれも円筒状部の中心軸線に平行し、２つの押圧部が対
向して押圧可能であり、
第３位置決め部は、それぞれ２つの押圧部の先端に設けられる２つのフックを備え、第３
ロック部は、それぞれ保護ハウジングの末端の両側に設けられる２つの係合溝を備え、
手で両側の押圧部を把持して対向して押圧するとき、２つのフックのそれぞれと２つの係
合溝のロックが解除される。
【００２５】
より好ましくは、保護ハウジングに套設され、片翼翼片又は両翼翼片であり、両翼翼片の
場合、２つの翼片が対称的に設けられ、且つ折り畳まれると一体に重なる翼片をさらに備
える。
【００２６】
さらに、保護ハウジングは、型開きに有利となるように、上保護ハウジングと下保護ハウ
ジングが結合されてなり、内蔵スライドスリーブは、上保護ハウジングの内部に取り付け
られ、内蔵スライドスリーブの２つの軸方向断面は、下保護ハウジングの内壁に密着して
いる。
【００２７】
またさらに、針管と針管ベースとの間に大きな傾斜角が発生して針先が血管を突き出すこ
とがないように、針管から下保護ハウジングの外壁までの垂直方向の最大距離は、１．５
ｍｍ以下である。上保護ハウジングと下保護ハウジングの別体式設計により、針管から下
保護ハウジングの外周面までの垂直方向の最大距離を１．５ｍｍ以下にすることが可能に
なる。
【００２８】
本発明では、特別に設計された針ホルダー、針ホルダーと嵌合する安全保護ハウジング及
び針ホルダーと保護ハウジングの間に位置する内蔵スライドスリーブによって、安全機能
付き輸液針の本体構造が構成される。注入を始めるとき、一般的な穿刺針を用いる場合と
同様に操作して静脈を穿刺し、輸液が終了した後、片手で安全ハウジングを押さえて、他
方の手で針ホルダーの組み立て部又はテールホルダー部を把持して、針ホルダーの組み立
て部又はテールホルダー部と保護ハウジングとのロックを解除して分離し、次に、一般的
な針抜き方法によって針管を患者の体内から抜き出し、針ホルダーが内蔵スライドスリー
ブから制限部位まで引かれ、内蔵スライドスリーブが保護ハウジングから制限部位まで引
かれると、針管は、完全に保護ハウジングに後退し、針ホルダーは被ロックされて前後に
移動できなくなり、それによって、安全に使用できるという目的を達成させる。
【００２９】
本発明の利点は、主に以下のとおりである。
１．針刺し及び交差感染の防止：
１）輸液するときに患者に対して与え得る血管損傷のリスクをできるだけ減少させる。
２）医療スタッフが操作するときに針により突き刺さたり交差感染を受けたりするリスク
をできるたけ防止する。
３）医療廃棄物の処置過程における潜在的な二次被害及び環境汚染を防止する。
【００３０】
２．製品の小型化設計：
１）針ホルダー、内蔵スライドスリーブ及び保護ハウジングからなる三段構造とし、針ホ
ルダー及び保護ハウジングのロックには、側面ロック、先端ロック及び末端ロックの３種
類の方式があり、構造の革新により製品の小型化設計を実現し、輸液に対する技術的要求
及び患者による快適さを満たす。
２）使用者の操作習慣を変える必要がないため、より快適且つ簡便に使用できる。
【００３１】
３．生産プロセスの簡素化：
１）製品は、設計がコンパクトで簡単であり、生産プロセスがシンプルであり、量産が実
現されやすい。
１）製品の品質及び安全性を大幅に向上させるとともに、生産コストを顕著に削減させる
。
【図面の簡単な説明】
【００３２】
【図１】実施例１の針手動後退式静脈内輸液針の構造模式図である。
【図２】実施例１の針手動後退式静脈内輸液針の針ホルダーの構造模式図である。
【図３】実施例１の針手動後退式静脈内輸液針の内蔵スライドスリーブの構造模式図である。
【図４】実施例１の針手動後退式静脈内輸液針の内蔵スライドスリーブの下面模式図である。
【図５】実施例１の針手動後退式静脈内輸液針の上保護ハウジングの構造模式図である。
【図６】実施例１の針手動後退式静脈内輸液針の上保護ハウジングのＡ矢視図である。
【図７】実施例１の針手動後退式静脈内輸液針の下保護ハウジングの構造模式図である。
【図８】実施例１の針手動後退式静脈内輸液針の翼片の構造模式図である。
【図９】実施例１の針手動後退式静脈内輸液針の使用前の閉合状態の構造模式図である。
【図１０】実施例１の針手動後退式静脈内輸液針の使用後の展開状態の構造模式図である。
【図１１】実施例２の針手動後退式静脈内輸液針の構造模式図である。
【図１２】実施例２の針手動後退式静脈内輸液針の部分縦断面模式図である。
【図１３】実施例２の針手動後退式静脈内輸液針の局部断面模式図である。
【図１４】実施例３の針手動後退式静脈内輸液針の使用前の閉合状態の構造模式図である。
【図１５】実施例３の針手動後退式静脈内輸液針の使用後の展開状態の構造模式図である。
【図１６】実施例４の針手動後退式静脈内輸液針の使用前の閉合状態の上面構造模式図である。
【図１７】実施例４の針手動後退式静脈内輸液針の使用前の閉合状態の構造模式図である。
【図１８】実施例４の針手動後退式静脈内輸液針の使用後の展開状態の構造模式図である。
【発明を実施するための形態】
【００３３】
以下、明細書の図面を参照しながら本発明のいくつかの好適実施例を説明し、例を挙げて
本発明が実施可能であることを確認し、明細書に本発明を完全に説明して、その技術的内
容をより明瞭で理解しやすくする。本発明は、多数の異なる形態の実施例によって実施可
能であり、その保護範囲は、明細書に記載の実施例に制限されず、本明細書の図面及び説
明は、あくまで例示的に説明するためであり、本発明を制限するものではない。図面では
、構造が同じ部件は、同じ数字の符号で表され、各構造又は機能が同じユニットは、類似
した数字の符号で表される。
【００３４】
実施例１
図１及び図２に示されるように、針手動後退式静脈内輸液針は、円筒状部１１及びテール
ホルダー部１２を備え、前記円筒状部１１及びテールホルダー部１２が前後に配置されて
且つ接続され、円筒状部１１が中空円筒形を呈し、針管２を取り付けるために使用され、
前記テールホルダー部１２の直径が円筒状部１１の直径より大きく、テールホルダー部１
２が輸送ホースを接続することに用いられる針ホルダー１と、先端が前方へ延びており、
末端が円筒状部１１の内部に取り付けられる針管２と、円筒状部１１を内部に前後にスラ
イド可能且つ取り外し可能に取り付け、テールホルダー部１２を常に末端の外に保持する
内蔵スライドスリーブ３と、両端まで貫通する長尺状の中空ハウジングであり、内蔵スラ
イドスリーブ３を内部に前後にスライド可能に取り付け、針ホルダー１がロックされた保
護ハウジング４と、を備え、円筒状部１１と内蔵スライドスリーブ３との間には、円筒状
部１１をロックするための第１ロック構造が設けられ、内蔵スライドスリーブ３と保護ハ
ウジング４との間には、内蔵スライドスリーブ３をロックするための第２ロック構造が設
けられ、針ホルダー１と保護ハウジング４との間には、針ホルダー１をロックするための
第３ロック構造が設けられる。針ホルダー１と保護ハウジング４のロック構造によるロッ
クが解除されると、針ホルダー１を後へ引いて、円筒状部１１を内蔵スライドスリーブ３
のロック位置にスライドさせてロックし、針ホルダー１を後へ引き続けて、内蔵スライド
スリーブ３を保護ハウジング４のロック位置にスライドさせてロックし、このとき、針管
２は、保護ハウジング４により完全に覆われ、且つ針先が露出しない。
【００３５】
前記第１ロック構造は、第１位置決め部と第１ロック部と、を備える。図２に示されるよ
うに、前記円筒状部１１の外壁の先端には、第１位置決め部が設けられ、第１位置決め部
は、スライダー１３を備える。図３及び図４に示されるように、前記内蔵スライドスリー
ブ３は、断面視で略Ｃ字形状であり、両端まで貫通する長尺状ブロックであり、内蔵スラ
イドスリーブ３の内壁には、第１ロック部が設けられ、第１ロック部は、長溝孔３１と第
１弾性アーム３２と、を備え、長溝孔３１は、内蔵スライドスリーブ３の軸方向に設けら
れ、且つ内蔵スライドスリーブ３の幅方向の正中線に位置し、第１弾性アーム３２は、長
溝孔３１の後方部に設けられ、具体的には、長溝孔３１の末端は、幅が小さくなっていく
末端貫通孔３１１となり、末端貫通孔３１１は、曲がって長溝孔３１の先端へ延びること
で、フック状貫通孔３１２となり、それによって、末端貫通孔３１１には、第１弾性アー
ム３２が形成されている。前記スライダー１３は、長溝孔３１の長さ範囲でスライドする
ように制限され、スライダー１３が長溝ブロックに沿って長溝孔３１の末端までスライド
する過程において、第１弾性アーム３２は、スライダー１３により押されて弾性的に変形
してスライダー１３の通過を許容し、スライダー１３が長溝孔３１の末端に到着すると、
第１弾性アーム３２の変形が戻り、スライダー１３が内蔵スライドスリーブ３の軸線方向
にロックされて逆方向にスライドできなくなる。円筒状部１１と内蔵スライドスリーブ３
がロックされると、テールホルダー部１２を後へ引き続けて、内蔵スライドスリーブ３３
の末端を保護ハウジング４６から離脱させる。
【００３６】
図２に示されるように、第１位置決め部は、スライダー１３の両側に対称的に設けられる
２つのサイドスライダー１４を備える。図３及び図４に示されるように、第１ロック部は
、２本の第１スライド溝３３をさらに備える、２本の第１スライド溝３３は、内蔵スライ
ドスリーブ３の軸方向に設けられ、且つスライド溝１２３の孔の両側に対称的に設けられ
、２つのサイドスライダー１４は、それぞれ２本の第１スライド溝３３の長さ範囲でスラ
イドするように制限される。円筒状部１１が内蔵スライドスリーブ３に取り付けられたと
き、円筒状部１１は、径方向の移動を制限されて、径方向に沿って内蔵スライドスリーブ
３から抜けることができず、このようにして、円筒状部１１と内蔵スライドスリーブ３の
組立構造がより安定的になる。
【００３７】
前記第２ロック構造は、第２位置決め部と第２ロック部と、を備える。図３に示されるよ
うに、前記内蔵スライドスリーブ３には、第２位置決め部が設けられ、第２位置決め部は
、それぞれ内蔵スライドスリーブ３の２つの軸方向断面に設けられる２つのボス３４を備
える。図１、図５〜図７に示されるように、保護ハウジング４は、上保護ハウジング４１
と下保護ハウジング４２が結合されてなり、上保護ハウジング４１及び下保護ハウジング
４２は、断面視で略Ｕ字形状であり、具体的には、図７に示されるように、前記下保護ハ
ウジング４２の内壁には、第２ロック部が設けられ、第２ロック部は、２本の第２スライ
ド溝１２３（第２スライド溝１２３は、下保護ハウジング４２の内側にあるため、図示し
ない）と２つの第２弾性アーム４２１と、を備え、２本の第２スライド溝１２３が、下保
護ハウジング４２の軸方向に対称的に設けられ、２つの第２弾性アーム４２１が、それぞ
れ２本の第２スライド溝１２３の後方部に設けられる。図１０に示されるように、内蔵ス
ライドスリーブ３は、上保護ハウジング４１の内部に取り付けられ、内蔵スライドスリー
ブ３の２つの軸方向断面が、下保護ハウジング４２の内壁に密着しており、２つのボス３
４は、それぞれ２本の第２スライド溝１２３の長さ範囲でスライドするように制限される
。２つのボス３４がそれぞれ２本の第２スライド溝１２３に沿って２本の第２スライド溝
１２３の末端までスライドする過程において、２つの第２弾性アーム４２１は、それぞれ
２つのボス３４により押されて弾性的に変形して２つのボス３４の通過を許容し、２つの
ボス３４がそれぞれ２本の第２スライド溝１２３の末端に到着すると、２つの第２弾性ア
ーム４２１の変形が戻り、２つのボス３４がロックされて逆方向にスライドできなくなる
。
【００３８】
本実施例では、第３ロック構造は、針ホルダー１と保護ハウジング４の側面がロックする
というロック方式を取る。前記第３ロック構造は、第３位置決め部と第３ロック部と、を
備える。図７に示されるように、前記下保護ハウジング４２の外壁には、第３位置決め部
が設けられ、第３位置決め部は、三角形状の凸起４２２である。図２、図９及び図１０に
示されるように、前記テールホルダー部１２には、第３ロック部が設けられ、テールホル
ダー部１２は、テールホルダー主体１２１と組み立て部１２２と、を備え、テールホルダ
ー主体１２１が、円筒状部１１に接続され、テールホルダー主体１２１の側面が組み立て
部１２２に接続され、組み立て部１２２が、円筒状部１１の中心軸線に平行し、且つ保護
ハウジング４の外壁に密着して設けられ、組み立て部１２２が側面から引かれ、第３ロッ
ク部は、組み立て部１２２に設けられ、三角形状の凹溝１２３を備え、具体的には、前記
組み立て部１２２は、制限部１２２１とロッド部１２２２と、を備え、前記制限部１２２
１の両端が、それぞれテールホルダー主体１２１及びロッド部１２２２に接続され、前記
ロッド部１２２２が自由端となり、前記凹溝１２３が制限部１２２１に設けられる。凹溝
１２３が凸起４２２を係止すると、テールホルダー部１２は、保護ハウジング４にロック
されるとともに、内蔵スライドスリーブ３の先端は、保護ハウジング１の内壁により制限
され、内蔵スライドスリーブ３の末端は、テールホルダー部１２により制限され、側面か
ら組み立て部１２２を引くと、凹溝１２３と凸起４２２のロックが解除され、針ホルダー
１のテールホルダー部１２が保護ハウジング４に対してロック解除され、後へ引くことが
できる。
【００３９】
図８に示されるように、組み立て部１２２に套設され、側面から引かれると、組み立て部
１２２が同期に引かれる翼片５をさらに備える。具体的には、前記翼片５は、互いに接続
された軸ブッシュ５１と翼状片５２と、を備え、前記軸ブッシュ５１が、組み立て部１２
２のロッド部１２２２に回転可能に套設されている。翼片５は、弾性プラスチック材質で
あり、翼状片５２の表面には、滑り止めの点から、粒子状の突起や模様などの滑り止め構
造が設けられてもよい。このような構造によって、血管の内部での針管２の回動を回避し
、針先による血管損傷のリスクを避け、よく輸液をする患者が静脈炎に罹患する可能性を
低減させる。
【００４０】
図１、図９、図１０に示されるように、円筒状部１１が内蔵スライドスリーブ３に収納さ
れ、内蔵スライドスリーブ３が保護ハウジング４に収納されるように、円筒状部１１、内
蔵スライドスリーブ３、保護ハウジング４の長さは、すべて合わせている。
【００４１】
針管２から下保護ハウジング４２の外壁までの垂直方向の最大距離は、１．２ｍｍである
。なお、針管２と針管２ベースとの間に大きな傾斜角が発生して針先による血管の突刺し
を引き起こしやすいことを防止するために、針管２の中心軸線と針ホルダー１の底部との
垂直方向の距離をできるだけ減少させ、内蔵スライドスリーブ３は、断面視で略Ｃ字形状
であり、両端まで貫通する長尺状ブロックとして設計され、保護ハウジング４は、型開き
して生産することに有利な上保護ハウジング４１と下保護ハウジング４２に分割され、組
み立てるとき、内蔵スライドスリーブ３を上保護ハウジング４１の内部に取り付け、内蔵
スライドスリーブ３の２つの軸方向断面を下保護ハウジング４２の内壁に密着させ、針管
２の軸線から下保護ハウジング４２の外壁までの垂直方向の最大距離を１．５ｍｍ以下に
設定することを可能にする。
【００４２】
本実施例の針手動後退式静脈内輸液針を組み立てるステップは、以下のとおりである
１）針ホルダー１を組み立て、具体的には、針管２を針ホルダー１の先端に取り付け、選
択的に針管２の外部にプロテクター６を套設し、翼片５をテールホルダー部１２の組み立
て部１２２に套設する。
２）針ホルダー１の円筒状部１１を内蔵スライドスリーブ３に係着し、テールホルダー部
１２を内蔵スライドスリーブ３の末端の外にする。
３）組み立てられた内蔵スライドスリーブ３及び針ホルダー１を上保護ハウジング４１の
内部にセットする。
４）下保護ハウジング４２をセットして上保護ハウジング４１と結合して保護ハウジング
４を構成し、このとき、下保護ハウジング４２の第３位置決め部とテールホルダー部１２
の組み立て部１２２における第３ロック部とをロックして針ホルダー１を保護ハウジング
４にロックする。
【００４３】
使用方法
針を抜き出すときに、一方の手で保護ハウジング４を押さえて、他方の手で組み立て部１
２２における翼片５を把持して外へ軽く引いて、組み立て部１２２における第３ロック部
と下保護ハウジング４２における第３位置決め部のロックを解除し、翼状片５２を後へ引
き続けて、針ホルダー１を内蔵スライドスリーブ３からロック位置まで引いてロックし、
それに連動して、内蔵スライドスリーブ３を保護ハウジング４からロック位置まで引いて
ロックし、図１０に示されるように、このとき、針ホルダー１及び内蔵スライドスリーブ
３のいずれも前後に移動できなくなり、針管２全体が保護ハウジング４の内部に後退し、
針管２が患者の体外へ抜き出され、それ以外、図９に示されるように、使用するときに従
来の採血針と同様に操作する。
【００４４】
実施例２
図１１〜１３に示されるように、実施例１に比べて、本実施例の相違点は、第３ロック構
造として針ホルダー１と保護ハウジング４の先端がロックするというロック方式を取るこ
とにある。前記第３ロック構造は、第３位置決め部と第３ロック部と、を備える。図２に
示されるように、前記円筒状部１１の外壁の先端には、第３位置決め部が設けられ、第３
位置決め部は、対称的に設けられる２つのサイドスライダー１４を備え、なお、第３位置
決め部の２つのサイドスライダー１４は、第１位置決め部の２つのサイドスライダー１４
である。図１２に示されるように、前記下保護ハウジング４２の内壁の先端には、第３ロ
ック部が設けられ、第３ロック部は、対称的に設けられる２つの弾性変形可能な斜面ボス
４２３を備える。２つのサイドスライダー１４がそれぞれ２つの斜面ボス４２３によりロ
ックされたとき、円筒状部１１は、保護ハウジング４の内部にロックされるとともに、内
蔵スライドスリーブ３は、テールホルダー部１２によりロックされ、円筒状部１１が後へ
引かれると、２つのサイドスライダー１４は、それぞれ２つの斜面ボス４２３を押して、
２つの斜面ボス４２３が弾性的に変形し、２つのサイドスライダー１４がそれぞれ２つの
斜面ボス４２３上を摺動し、針ホルダー１が保護ハウジング４の内部から後へ引かれる。
【００４５】
図１１に示されるように、テールホルダー部１２に套設され、片翼翼片又は両翼翼片であ
る翼片５をさらに備え、図には、両翼翼片の場合のみが示されており、両翼翼片の２つの
翼片は、対称的に設けられ、且つ折り畳まれると一体に重なり、このような構造とするこ
とによって、血管の内部での針管２の回動を避け、針先による血管損傷のリスクを低減さ
せ、よく輸液をする患者が静脈炎に罹患する可能性を減少させ、手で翼片５を把持して後
へ引くと、針ホルダー１のテールホルダー部１２は同期に引かれる。
【００４６】
本実施例では、針管２から下保護ハウジング４２の外周面までの垂直方向の最大距離は、
１．３ｍｍである。
【００４７】
本実施例の針手動後退式静脈内輸液針を組み立てるステップは、以下のとおりである。
１）針ホルダー１を組み立て、具体的には、針管２を針ホルダー１の先端に取り付け、選
択的に針管２の外部にプロテクター６を套設し、翼片５をテールホルダー部１２に套設す
る。
２）針ホルダー１の円筒状部１１を内蔵スライドスリーブ３に係着し、テールホルダー部
１２及び翼片５を内蔵スライドスリーブ３の外にする。
３）組み立てられた内蔵スライドスリーブ３及び針ホルダー１を上保護ハウジング４１の
内部にセットする。
４）下保護ハウジング４２をセットして上保護ハウジング４１と結合して保護ハウジング
４を構成し、このとき、下保護ハウジング４２の第３ロック部と円筒状部１１の第３位置
決め部がロックされて針ホルダー１を保護ハウジング４にロックする。
【００４８】
使用方法
針を抜き出すとき、片手で住保護ハウジング４を押さえて、他方の手で翼片５を把持して
後へ引き、円筒状部１１の外壁の先端の２つのサイドスライダー１４でそれぞれ２つの斜
面ボス４２３の斜面を押すことで、２つの斜面ボス４２３が弾性的に変形し、２つのサイ
ドスライダー１４のそれぞれが２つの斜面ボス４２３と離脱し、翼片５を後へ引き続けて
、針ホルダー１を内蔵スライドスリーブ３からロック位置まで引いてロックし、それに連
動して、内蔵スライドスリーブ３を保護ハウジング４からロック位置まで引いてロックし
、このとき、針ホルダー１及び内蔵スライドスリーブ３のいずれも前後に移動できなくな
り、針管２全体が保護ハウジング４の内部に後退し、針管２が患者の体外へ抜き出され、
それ以外、図１１に示されるように、使用するときに従来の採血針と同様に操作する。
【００４９】
実施例３
図１４及び図１５に示されるように、上記２つの実施例に比べて、本実施例の相違点は、
第３ロック構造として針ホルダー１と保護ハウジング４の後端がロックするというロック
方式を取ることにある。前記第３ロック構造は、第３位置決め部と第３ロック部と、を備
える。図１５に示されるように、前記テールホルダー部１２には、第３位置決め部が設け
られ、テールホルダー部１２は、テールホルダー主体１２１と２つの押圧部１２４と、を
備え、テールホルダー主体１２１が円筒状部１１に接続され、２つの押圧部１２４がそれ
ぞれテールホルダー主体１２１の両側に接続され、２つの押圧部１２４のいずれも円筒状
部１１の中心軸線に平行し、２つの押圧部１２４が対向して押圧可能であり、第３位置決
め部は、それぞれ２つの押圧部１２４の先端に設けられる２つのフック１２５を備え、前
記下保護ハウジング４２の末端には、第３ロック部が設けられ、第３ロック部は、それぞ
れ保護ハウジング４の末端の両側に設けられる２つの係合溝４２４を備える。２つのフッ
ク１２５がそれぞれ２つの係合溝４２４に係合されると、テールホルダー部１２は、保護
ハウジング４の末端にロックされるとともに、内蔵スライドスリーブ３の先端は、保護ハ
ウジング１の内壁により制限され、内蔵スライドスリーブ３の末端は、テールホルダー部
１２により制限され、手で両側の押圧部１２４を把持して対向して押圧すると、２つのフ
ック１２５のそれぞれと２つの係合溝４２４のロックが解除され、テールホルダー部１２
が保護ハウジング４の末端に対してロック解除され、後へ引かれる。
【００５０】
保護ハウジング４に套設され、片翼翼片５である翼片５をさらに備える。
【００５１】
本実施例の針手動後退式静脈内輸液針を組み立てるステップは、以下のとおりである。
１）針ホルダー１を組み立て、具体的には、針管２を針ホルダー１の先端に取り付け、選
択的に針管２の外部にプロテクター６を套設する。
２）針ホルダー１の円筒状部１１を内蔵スライドスリーブ３に係着し、テールホルダー部
１２を内蔵スライドスリーブ３の外にする。
３）組み立てられた内蔵スライドスリーブ３及び針ホルダー１を上保護ハウジング４１の
内部にセットする。
４）下保護ハウジング４２をセットして上保護ハウジング４１と結合して保護ハウジング
４を構成し、このとき、下保護ハウジング４２の末端の第３ロック部とテールホルダー部
１２の第３位置決め部がロックされて、針ホルダー１を保護ハウジング４にロックする。
５）翼片５を保護ハウジング４の外周面に套設する。
【００５２】
使用方法
図１４に示されるように、針を抜き出すとき、一方の手で保護ハウジング４を押さえて、
他方の手で両側からテールホルダー部１２の２つの押圧部１２４を押さえることで、テー
ルホルダー部１２の第３位置決め部を下保護ハウジング４２の末端の第３ロック部に対し
てロック解除し、さらにテールホルダー部１２を後へ引いて、針ホルダー１を内蔵スライ
ドスリーブ３からロック位置まで引いてロックし、それに連動して、内蔵スライドスリー
ブ３を保護ハウジング４からロック位置まで引いてロックし、図１５に示されるように、
このとき、針ホルダー１及び内蔵スライドスリーブ３のいずれも前後に移動できなくなり
、針管２全体が保護ハウジング４の内部に後退し、針管２が患者の体外へ抜き出され、そ
れ以外、使用するときに、手で翼片を把持して針を刺すことができ、従来の輸液針と同様
に操作する。
【００５３】
実施例４
図１６〜図１８に示されるように、実施例３に比べて、本実施例の相違点は、前記翼片５
が両翼叶片であることにあり、残りは、同様である。両翼翼片５の２つの翼片５は、対称
的に設けられ、且つ折り畳まれると一体に重なり、このような構造によって、血管の内部
での針管２の回動を回避し、針先による血管損傷のリスクを避け、よく輸液をする患者が
静脈炎に罹患する可能性を低減させる。組み立てステップ及び使用方法に関しては、実施
例３を参照すればよい。
【００５４】
なお、上記実施例における位置決め部及びロック部の凸凹形状が交換可能であり、つまり
、位置決め部が凹部であり、ロック部が凸部であるようにしてもよく、凹部と凸部のロッ
クが実現できればよい。
【００５５】
以上は、本発明の好適実施例に過ぎず、ただし、当業者であれば、本発明の原理から逸脱
することなく、いくつかの改良及び修飾を行うことができ、これら改良及び修飾も本発明
の保護範囲とみなされるべきである。
【符号の説明】
【００５６】
１  針ホルダー
１１  円筒状部
１２  テールホルダー部
１２１  テールホルダー主体
１２２  組み立て部
１２２１  制限部
１２２２  ロッド部
１２３  凹溝
１２４  押圧部
１２５  フック
１３  スライダー
１４  サイドスライダー
２  針管
３  内蔵スライドスリーブ
３１  長溝孔
３１１  末端貫通孔
３１２  フック状貫通孔
３２  第１弾性アーム
３３  第１スライド溝
３４  ボス
４  保護ハウジング
４１  上保護ハウジング
４２  下保護ハウジング
４２１  第２弾性アーム
４２２  凸起
４２３  斜面ボス
４２４  係合溝
５  翼片
５１  軸ブッシュ
５２  翼状片
６  プロテクター。
【図１】
2020522362.tif 000003
【図２】
2020522362.tif 000004
【図３】
2020522362.tif 000005
【図４】
2020522362.tif 000006
【図５】
2020522362.tif 000007
【図６】
2020522362.tif 000008
【図７】
2020522362.tif 000009
【図８】
2020522362.tif 000010
【図９】
2020522362.tif 000011
【図１０】
2020522362.tif 000012
【図１１】
2020522362.tif 000013
【図１２】
2020522362.tif 000014
【図１３】
2020522362.tif 000015
【図１４】
2020522362.tif 000016
【図１５】
2020522362.tif 000017
【図１６】
2020522362.tif 000018
【図１７】
2020522362.tif 000019
【図１８】
2020522362.tif 000020
【国際調査報告】
2020522362.tif 000021
2020522362.tif 000022
2020522362.tif 000023
2020522362.tif 000024
2020522362.tif 000025
2020522362.tif 000026
2020522362.tif 000027
2020522362.tif 000028